(57)【特許請求の範囲】
【請求項１】
複数の計算機システムと各計算機システムを接続するシステム間通信機構から構成され、ジョブが他の計算機システム管理下の計算機資源に対するアクセス処理を行う複合型計算機システムにおいて、
計算機システムは、自計算機システムの計算機資源を保護するための資源保護情報、及び他の計算機システム管理下の計算機資源を保護するための資源保護情報を管理する資源保護情報管理手段と、該資源保護情報管理手段にて管理する資源保護情報に基づいて、自計算機システム管理下の計算機資源に対するアクセス処理、及び他の計算機システム管理下の計算機資源に対するアクセス処理を行う資源アクセス手段と、を有し、
該資源アクセス手段にて計算機システム間のアクセス処理の違いを吸収することにより、他の計算機システム管理下の計算機資源に対するアクセス処理時の資源保護を、自計算機システム管理下の計算機資源に対するアクセス処理と同様の処理で実行し、
ジョブが複数の他の計算機システム管理下の計算機資源に対するアクセス処理を行う際、前記資源アクセス手段は、該計算機資源に対するアクセス要求を並列的に送出する手段を有し、
アクセス要求が拒否された計算機資源が少なくとも一つ存在する場合、アクセス要求元の計算機システム内に予め設定されている所定の情報に基づいて、該計算機資源以外に対するアクセス処理を実行するか、またはすべてのアクセス処理を中止する、
ことを特徴とする複合型計算機システム。
【請求項２】
複数の計算機システムと各計算機システムを接続するシステム間通信機構から構成され、ジョブが他の計算機システム管理下の計算機資源に対するアクセス処理を行う複合型計算機システムにおいて、
計算機システムは、自計算機システムの計算機資源を保護するための資源保護情報、及び他の計算機システム管理下の計算機資源を保護するための資源保護情報を管理する資源保護情報管理手段と、該資源保護情報管理手段にて管理する資源保護情報に基づいて、自計算機システム管理下の計算機資源に対するアクセス処理、及び他の計算機システム管理下の計算機資源に対するアクセス処理を行う資源アクセス手段と、を有し、
該資源アクセス手段にて計算機システム間のアクセス処理の違いを吸収することにより、他の計算機システム管理下の計算機資源に対するアクセス処理時の資源保護を、自計算機システム管理下の計算機資源に対するアクセス処理と同様の処理で実行し、
ジョブが複数の他の計算機システム管理下の計算機資源に対するアクセス処理を行う際、前記資源アクセス手段は、予め設定された順序に従って該計算機資源に対するアクセス要求を逐次的に送出する手段を有し、
アクセス要求が拒否された計算機資源が存在する場合、アクセス要求元の計算機システム内に予め設定されている所定の情報に基づいて、該計算機資源に対するアクセス処理をスキップするか、またはすべてのアクセス処理を中止する、
ことを特徴とする複合型計算機システム。
【請求項３】
計算機システム内のジョブが他の計算機システム管理下の計算機資源に対するアクセス処理を行う復号型計算機システムにおける該計算機システム間の資源保護方法において、
計算機システムは、自計算機システムの計算機資源を保護するための資源保護情報、及び他の計算機システム管理下の計算機資源を保護するための資源保護情報を管理する資源保護情報管理ステップと、該資源保護情報管理ステップにて管理する資源保護情報に基づいて、自計算機システム管理下の計算機資源に対するアクセス処理、及び他の計算機システム管理下の計算機資源に対するアクセス処理を行う資源アクセスステップと、を有し、
該資源アクセスステップにて計算機システム間のアクセス処理の違いを吸収することにより、他の計算機システム管理下の計算機資源に対するアクセス処理時の資源保護を、自計算機システム管理下の計算機資源に対するアクセス処理と同様の処理で実行し、
ジョブが複数の他の計算機システム管理下の計算機資源に対するアクセス処理を行う際、前記資源アクセスステップでは、該計算機資源に対するアクセス要求を並列的に送出するステップを有し、
アクセス要求が拒否された計算機資源が少なくとも一つ存在する場合、アクセス要求元の計算機システム内に予め設定されている所定の情報に基づいて、該計算機資源以外に対するアクセス処理を実行するか、またはすべてのアクセス処理を中止する、
ことを特徴とする計算機システム間の資源保護方法。
【請求項４】
計算機システム内のジョブが他の計算機システム管理下の計算機資源に対するアクセス処理を行う復号型計算機システムにおける該計算機システム間の資源保護方法において、
計算機システムは、自計算機システムの計算機資源を保護するための資源保護情報、及び他の計算機システム管理下の計算機資源を保護するための資源保護情報を管理する資源保護情報管理ステップと、該資源保護情報管理ステップにて管理する資源保護情報に基づいて、自計算機システム管理下の計算機資源に対するアクセス処理、及び他の計算機システム管理下の計算機資源に対するアクセス処理を行う資源アクセスステップと、を有し、
該資源アクセスステップにて計算機システム間のアクセス処理の違いを吸収することにより、他の計算機システム管理下の計算機資源に対するアクセス処理時の資源保護を、自計算機システム管理下の計算機資源に対するアクセス処理と同様の処理で実行し、
ジョブが複数の他の計算機システム管理下の計算機資源に対するアクセス処理を行う際、前記資源アクセスステップでは、予め設定された順序に従って該計算機資源に対するアクセス要求を逐次的に送出するステップを有し、
アクセス要求が拒否された計算機資源が存在する場合、アクセス要求元の計算機システム内に予め設定されている所定の情報に基づいて、該計算機資源に対するアクセス処理をスキップするか、またはすべてのアクセス処理を中止する、
ことを特徴とする計算機システム間の資源保護方法。
【発明の詳細な説明】
【０００１】
【発明の属する技術分野】
本発明は、不特定の第三者が使用する計算機システムからの不当なアクセスから保護されているＬＡＮやシステム間共用メモリ等を有するシステム間通信機構を介し、相互に接続された複数の計算機システムで構成される複合型計算機システムにおいて、各計算機システムが直接の管理下にない計算機資源を使用して単一または複数のジョブを実行する場合に、該計算機資源に対する不当なアクセスからの保護を実現可能とする複合型計算機システムに関する。
【０００２】
【従来の技術】
ＬＡＮやシステム間共用メモリ等を有するシステム間通信機構を介し、相互に接続された複数の計算機システムで構成される従来の複合型計算機システムにおいて、各計算機システムが他の計算機システムの管理下にある計算機資源を利用してジョブを実行する一般的なアクセス方法として、例えば、ネットワークファイルシステム（ＮＦＳ）に代表されるリモートアクセス機構によるアクセス方法がある。
【０００３】
従来の複合型計算機システムは、例えば、図５に示すようにリモートアクセス機構１０４を有するクライアント側の第一の計算機システム１０１と、リモートアクセス機構１０５を有するサーバ側の第二の計算機システム１０２と、第二の計算機システムの管理下にある計算機資源１０６から構成され、ＬＡＮ等のシステム間通信機構により接続されている。尚、図５の複合型計算機システムは、説明の便宜上、第一の計算機システム１０１及び第二の計算機システム１０２で構成されているが、複合型計算機システムを構成する計算機システムの数はこれに限らない。
【０００４】
上記、図５のように構成される複合型計算機システムにおいて、第一の計算機システム１０１のジョブ１０３が第二の計算機システム１０２の管理下にある計算機資源１０６を利用する場合、第一の計算機システム１０１のリモートアクセス機構１０４は、第一の計算機システム１０１の管理下の計算機資源に対するアクセス方法と同じアクセス方法か、または、該リモートアクセス機構１０４専用のアクセス方法により要求されたジョブ１０３からのアクセス要求を、ＬＡＮを介して第二の計算機システム１０２に通知する。
【０００５】
第一の計算機システム１０１からのアクセス要求を受信した第二の計算機システム１０２のリモートアクセス機構１０５は、該計算機システム上の他のジョブと同様のアクセス方法により、計算機資源１０６に対するアクセスをジョブ１０３に代わって実行し、更にその結果を再びＬＡＮを介して、アクセス要求元のジョブ１０３に対して通知する。
【０００６】
また、リモートアクセス機構１０５は、アクセス対象となる計算機資源１０６の保護を、第二の計算機システム１０２上の他のジョブと同様の保護方法により、ジョブ１０３に代わって実行している。尚、第二の計算機システム１０２上の他のジョブと同様の保護方法とは、例えば、計算機資源１０６に’リード可／ライト不可’という属性を付加することでライトを禁止し、データが変更されることを防止する等の、第二の計算機システム１０２上で予め設定されている保護方法をいう。
【０００７】
また、従来の複合型計算機システムでは、ジョブ１０３からのアクセス要求以外に、ジョブ１０３がもつ計算機資源保護に関する個別属性（リード可、リード／ライト可等の情報）も通知することが可能であり、それに伴ってリモートアクセス機構１０５は、ジョブ３からの計算機資源保護に関する個別属性で計算機資源１０６を保護可能となり、ジョブ１０３が第二の計算機システム１０２で実行されているような資源保護状態で動作する。更に従来の複合型計算機システムでは、リモートアクセス１０４側にジョブ１０３からのアクセス要求の種類を制限する属性（リード可、リード／ライト可等の情報）を付加することにより、第一の計算機システム１０１側でも計算機資源１０６を保護可能とする。
【０００８】
【発明が解決しようとする課題】
しかしながら、従来の複合型計算機システムは、計算機システム間のオペレーティングシステムが異なる場合、計算機資源に対する保護方法が各計算機システム間で異なるため、一方の計算機システムのジョブが、他方の計算機システムの資源保護方法を意識して該計算機システム管理下の計算機資源へのアクセス処理を実行するか、または、オペレーティングシステムの違いを吸収する機構をリモートアクセス機構内に用意する必要がある。
【０００９】
また、従来の複合型計算機システムは、計算機システムの資源保護方法が異なる場合、一方の計算機システムのリモートアクセス機構が、該計算機システム管理下の計算機資源の保護手続き、及び該手続きに必要な資源保護情報の処理の他に、アクセス対象となる計算機システム管理下の計算機資源の保護手続き、及び該手続きに必要な資源保護情報の処理を実行しなければならない。
【００１０】
また、従来の複合型計算機システムは、複合型計算機システムの規模が大きくなるほど、即ち、計算機システムの数、及び接続経路の数が多くなるほど、前記計算機資源の保護手続き、及び前記手続きに必要な資源保護情報の処理が複雑化し、システム間通信機構の負荷が増大するため、各計算機システムによる細かい単位での計算機資源の保護ができない。
【００１１】
また、従来の複合型計算機システムによる計算機資源の保護方法は、アクセス要求元の計算機システムとアクセス要求先の計算機システムが１対１に対応しなければならないため、アクセス処理に対応する計算機資源が複数存在する場合、該計算機資源を管理するすべての計算機システムに対して、計算機資源の保護手続き、及び前記手続きに必要な資源保護情報の処理を実行することになり、アクセス要求元の計算機システム内のジョブの制御処理が複雑化する。
【００１２】
本発明は、各計算機システムが直接の管理下にない計算機資源を使用して単一または複数のジョブを実行する場合に、計算機システム間のオペレーティングシステムの違いを吸収し、更に計算機資源の保護手続き、及び該手続きに必要な資源保護情報の処理を容易可することにより、不当なアクセスからの該計算機資源の保護を実現可能とする複合型計算機システム、及び計算機システム間の資源保護方法を提供する。
【００１３】
【課題を解決するための手段】
【００１７】
本発明の複合型計算機システムは、請求項１に記載のように、複数の計算機システムと各計算機システムを接続するシステム間通信機構から構成され、ジョブが他の計算機システム管理下の計算機資源に対するアクセス処理を行う複合型計算機システムにおいて、計算機システムは、自計算機システムの計算機資源を保護するための資源保護情報、及び他の計算機システム管理下の計算機資源を保護するための資源保護情報を管理する資源保護情報管理手段（後述する実施例の資源保護情報管理機構４、資源保護情報管理機構８に相当）と、該資源保護情報管理手段にて管理する資源保護情報に基づいて、自計算機システム管理下の計算機資源に対するアクセス処理、及び他の計算機システム管理下の計算機資源に対するアクセス処理を行う資源アクセス手段（後述する実施例の資源アクセス機構５、資源アクセス機構９に相当）と、を有し、該資源アクセス手段にて計算機システム間のアクセス処理の違いを吸収することにより、他の計算機システム管理下の計算機資源に対するアクセス処理時の資源保護を、自計算機システム管理下の計算機資源に対するアクセス処理と同様の処理で実行し、ジョブが複数の他の計算機システム管理下の計算機資源に対するアクセス処理を行う際、前記資源アクセス手段は、該計算機資源に対するアクセス要求を並列的に送出する手段（後述する実施例の資源アクセス機構５、資源アクセス機構９に相当）を有し、アクセス要求が拒否された計算機資源が少なくとも一つ存在する場合、アクセス要求元の計算機システム内に予め設定されている所定の情報に基づいて、該計算機資源以外に対するアクセス処理を実行するか、またはすべてのアクセス処理を中止する、ことを特徴とする。
【００１８】
従って、本発明の複合型計算機システムは、資源アクセス手段にてアクセス方法や計算機資源数の違いを吸収することにより、一方の計算機システムのジョブが、該計算機システム内の仮想的な計算機資源として複数の計算機資源にアクセスすることが可能となる。
更に、本発明の複合型計算機システムは、計算機システムが資源保護情報管理手段にて他計算機システムの計算機資源の資源保護情報を有することにより、複数の計算機システム管理下の計算機資源を、該計算機システム内で実行される不当なジョブから保護することが可能となる。
【００１９】
また、本発明の複合型計算機システムは、請求項２に記載のように、複数の計算機システムと各計算機システムを接続するシステム間通信機構から構成され、ジョブが他の計算機システム管理下の計算機資源に対するアクセス処理を行う複合型計算機システムにおいて、計算機システムは、自計算機システムの計算機資源を保護するための資源保護情報、及び他の計算機システム管理下の計算機資源を保護するための資源保護情報を管理する資源保護情報管理手段と、該資源保護情報管理手段にて管理する資源保護情報に基づいて、自計算機システム管理下の計算機資源に対するアクセス処理、及び他の計算機システム管理下の計算機資源に対するアクセス処理を行う資源アクセス手段とを有し、該資源アクセス手段にて計算機システム間のアクセス処理の違いを吸収することにより、他の計算機システム管理下の計算機資源に対するアクセス処理時の資源保護を、自計算機システム管理下の計算機資源に対するアクセス処理と同様の処理で実行し、ジョブが複数の他の計算機システム管理下の計算機資源に対するアクセス処理を行う際、資源アクセス手段は、予め設定された順序に従って該計算機資源に対するアクセス要求を逐次的に送出する手段（後述する実施例の資源アクセス機構５、資源アクセス機構９に相当）を有し、アクセス要求が拒否された計算機資源が存在する場合、アクセス要求元の計算機システム内に予め設定されている所定の情報に基づいて、該計算機資源に対するアクセス処理をスキップするか、またはすべてのアクセス処理を中止する、ことを特徴とする。
【００２０】
従って、本発明の複合型計算機システムは、資源アクセス手段にてアクセス方法や計算機資源数の違いを吸収することにより、一方の計算機システムのジョブが、該計算機システム内の仮想的な計算機資源として複数の計算機資源にアクセスすることが可能となる。
更に、本発明の複合型計算機システムは、計算機システムが資源保護情報管理手段にて他計算機システムの計算機資源の資源保護情報を有することにより、複数の計算機システム管理下の計算機資源を、該計算機システム内で実行される不当なジョブから保護することが可能となる。
【００２５】
また、本発明の複合型計算機システムにおける計算機システム間の資源保護方法は、請求項３に記載のように、計算機システム内のジョブが他の計算機システム管理下の計算機資源に対するアクセス処理を行う復号型計算機システムにおける該計算機システム間の資源保護方法において、計算機システムは、自計算機システムの計算機資源を保護するための資源保護情報、及び他の計算機システム管理下の計算機資源を保護するための資源保護情報を管理する資源保護情報管理ステップ（後述する実施例のＳ３、Ｓ４、Ｓ９、Ｓ１０、Ｓ２３、Ｓ２４、Ｓ４３、Ｓ４７に相当）と、該資源保護情報管理ステップにて管理する資源保護情報に基づいて、自計算機システム管理下の計算機資源に対するアクセス処理、及び他の計算機システム管理下の計算機資源に対するアクセス処理を行う資源アクセスステップ（後述する実施例のＳ６、Ｓ７、Ｓ１１、Ｓ２８、Ｓ４４に相当）とを有し、該資源アクセスステップにて計算機システム間のアクセス処理の違いを吸収することにより、他の計算機システム管理下の計算機資源に対するアクセス処理時の資源保護を、自計算機システム管理下の計算機資源に対するアクセス処理と同様の処理で実行し、ジョブが複数の他の計算機システム管理下の計算機資源に対するアクセス処理を行う際、前記資源アクセスステップでは、該計算機資源に対するアクセス要求を並列的に送出するステップ（後述する実施例のＳ２１、Ｓ２７に相当）を有し、アクセス要求が拒否された計算機資源が少なくとも一つ存在する場合、アクセス要求元の計算機システム内に予め設定されている所定の情報に基づいて、該計算機資源以外に対するアクセス処理を実行するか、またはすべてのアクセス処理を中止する、ことを特徴とする。
【００２６】
従って、本発明の計算機システム間の資源保護方法では、資源アクセスステップにてアクセス方法や計算機資源数の違いを吸収することにより、一方の計算機システムのジョブが、該計算機システム内の仮想的な計算機資源として複数の計算機資源にアクセスすることが可能となる。
更に、本発明の計算機システム間の資源保護方法では、計算機システムが資源保護情報管理ステップにて他計算機システムの計算機資源を保護することにより、複数の計算機システム管理下の計算機資源を該計算機システム内で実行される不当なジョブから保護することが可能となる。
【００２７】
また、本発明の複合型計算機システムにおける計算機システム間の資源保護方法は、請求項４に記載のように、計算機システム内のジョブが他の計算機システム管理下の計算機資源に対するアクセス処理を行う復号型計算機システムにおける該計算機システム間の資源保護方法において、計算機システムは、自計算機システムの計算機資源を保護するための資源保護情報、及び他の計算機システム管理下の計算機資源を保護するための資源保護情報を管理する資源保護情報管理ステップと、該資源保護情報管理ステップにて管理する資源保護情報に基づいて、自計算機システム管理下の計算機資源に対するアクセス処理、及び他の計算機システム管理下の計算機資源に対するアクセス処理を行う資源アクセスステップとを有し、該資源アクセスステップにて計算機システム間のアクセス処理の違いを吸収することにより、他の計算機システム管理下の計算機資源に対するアクセス処理時の資源保護を、自計算機システム管理下の計算機資源に対するアクセス処理と同様の処理で実行し、ジョブが複数の他の計算機システム管理下の計算機資源に対するアクセス処理を行う際、資源アクセスステップでは、予め設定された順序に従って該計算機資源に対するアクセス要求を逐次的に送出するステップ（後述する実施例のＳ４１に相当）を有し、アクセス要求が拒否された計算機資源が存在する場合、アクセス要求元の計算機システム内に予め設定されている所定の情報に基づいて、該計算機資源に対するアクセス処理をスキップするか、またはすべてのアクセス処理を中止する、ことを特徴とする。
【００２８】
従って、本発明の計算機システム間の資源保護方法では、資源アクセスステップにてアクセス方法や計算機資源数の違いを吸収することにより、一方の計算機システムのジョブが、該計算機システム内の仮想的な計算機資源として複数の計算機資源にアクセスすることが可能となる。
更に、本発明の計算機システム間の資源保護方法では、計算機システムが資源保護情報管理ステップにて他計算機システムの計算機資源を保護することにより、複数の計算機システム管理下の計算機資源を、該計算機システム内で実行される不当なジョブから保護することが可能となる。
【００２９】
【発明の実施の形態】
以下、ＬＡＮやシステム間共用メモリ等を有するシステム間通信機構を介し、相互に接続された複数の計算機システムで構成される本発明の複合型計算機システム、及び該計算機システム間の資源保護方法の実施例を図面に基づいて説明する。
【００３０】
図１は、本発明の複合型計算機システムの構成図を示す。
図１において、本発明の複合型計算機システムは、複数の計算機システムとしての計算機システム１及び計算機システム２と、各計算機システムを接続するＬＡＮ等のシステム間通信機構３から構成され、各計算機システムの各ジョブ（ジョブ６、ジョブ１０に相当）が、システム間通信機構３を介して他の計算機システムの管理下にある計算機資源（計算機資源７、計算機資源１１に相当）を利用し、処理を実行する。具体的には、計算機システム１のジョブ６が計算機システム２の管理下にある計算機資源１１を利用して処理を実行する。また計算機システム２のジョブ１０が計算機システム１の管理下にある計算機資源７を利用して処理を実行する。尚、図１の複合型計算機システムは、説明の便宜上、計算機システム１及び計算機システム２で構成されているが、複合型計算機システムを構成する計算機システムの数はこれに限らない。
【００３１】
図１の複合型計算機システムを構成する計算機システム１は、資源保護情報管理機構４と資源アクセス機構５と計算機資源７から構成され、ジョブ６が計算機資源、及び計算機資源１１を利用して処理を実行している。
資源保護情報管理機構４は、複合型計算機システムを構成する他の各計算機システム管理下の計算機資源を、計算機システム１に存在する仮想的な計算機資源としてアクセスするための資源保護情報を管理し、更に該資源保護情報を制御することにより、自計算機システム１及び他の各計算機システムの計算機資源保護の違いを隠蔽して、後述する資源アクセス機構５からの資源保護情報に対する各種要求を処理する機能を有する。
【００３２】
また、資源保護情報管理機構４は、計算機システム１管理下の計算機資源７に対する資源保護情報を管理する自システム資源保護情報管理部４ｂと、計算機システム２及び他の各計算機システム管理下の計算機資源を計算機システム１に存在する仮想的な計算機資源として扱うための資源保護情報を管理する他システム資源保護情報管理部４ａを有する。
【００３３】
資源アクセス機構５は、他の計算機システムの計算機資源を計算機システム１に存在する仮想的な計算機資源として処理する制御を行い、自計算機システム１及び他の各計算機システム管理下の計算機資源へのアクセス方法や対応する計算機資源数の違いを隠蔽する機能を有する。
更に、資源アクセス機構５は、ジョブ６から計算機システム１管理下の計算機資源７へのアクセス要求、ジョブ６から他の計算機システム管理下の計算機資源へのアクセス要求、及び他計算機システムのジョブから通知された計算機システム１管理下の計算機資源７へのアクセス要求の、各アクセス要求に対応する資源保護情報管理機構４内の資源保護情報を確認し、各アクセス要求元の計算機システムの資源保護情報のアクセス権限範囲内であれば、当該アクセス要求に対する処理を実行する機能を有する。また、資源アクセス機構５は、計算機資源７に対するアクセス処理を実行する自計算機資源アクセス部５ｂと、計算機システム２及び他の各計算機システム管理下の計算機資源を計算機システム１に存在する仮想的な計算機資源として、計算機資源７と同等のアクセス処理を実行する他計算機資源アクセス部５ａを有する。即ち、他計算機資源アクセス部５ａは、自計算機システム内のジョブから他の計算機システム管理下の計算機資源へのアクセス要求を他の計算機システムのアクセス要求形態に変更する機能、他の計算機システム内のジョブから自計算機システム管理下の計算機資源へのアクセス要求を自計算機システムのアクセス要求形態に変更する機能、及びアクセス要求を双方計算機システムで処理可能な中間処理形態に変更する機能を有する。
【００３４】
計算機資源７は、ジョブ６の処理に必要なデータを格納する機能を有する。
また、図１の複合型計算機システムを構成する計算機システム２は、資源保護情報管理機構８と資源アクセス機構９と計算機資源１１から構成され、上記計算機システム１と同様の機能を有する。尚、計算機システム２の資源保護情報管理機構８は資源保護情報管理機構４に対応し、資源アクセス機構９は資源アクセス機構５に対応し、計算機資源１１は計算機資源７に対応する。更に、資源保護情報管理機構８内の他システム資源保護情報管理部８ａは他システム資源保護情報管理部４ａに対応し、自システム資源保護情報管理部８ｂは自システム資源保護情報管理部４ｂに対応し、資源アクセス機構９内の他計算機資源アクセス部９ａは他計算機資源アクセス部５ａに対応し、自計算機資源アクセス部９ｂは自計算機資源アクセス部５ｂに対応する。
【００３５】
システム間通信機構３は、不特定の第三者からの不当なアクセスから保護されているＬＡＮ等を利用し、各計算機システム間の通信を行う、即ち、各資源アクセス機構間による計算機資源の送受信、及び資源保護情報管理機構間による資源保護情報のアクセス要求及びアクセス結果情報の送受信を行う機能を有する。
上記のように構成される複合型計算機システムにおいて、各計算機システム（計算機システム１、２）は、不特定の第三者が利用する計算機システムからの不当なアクセスから保護されているＬＡＮ等を用いたシステム間通信により、各資源アクセス機構（資源アクセス機構、５、９）、及び各資源保護情報管理機構（資源保護情報管理機構４、８）が各計算機システムを識別できるように接続されている。
【００３６】
具体的に説明すると、資源保護情報管理機構４では、自システム資源保護情報管理部４ｂ及び他システム資源保護情報管理部４ａにより、それぞれ計算機資源７及び計算機資源１１に対するアクセス処理上の資源保護情報を管理している。尚、他システム資源保護情報管理部４ａで設定される計算機資源１１に対する資源保護情報は、該資源保護情報により保護すべき対象となる計算機資源１１が計算機システム１内に存在しない場合であっても、計算機資源１１が計算機システム１内に存在するものとして処理できるように設定されている。また、自システム資源保護情報管理部４ｂで設定される計算機資源７に対する資源保護情報は、ジョブ６から保護するための資源保護情報の他に、他の計算機システムのジョブから保護するための資源保護情報が設定されている。
【００３７】
また、資源保護情報管理機構８では、資源保護情報管理機構４と同様に、自システム資源保護情報管理部８ｂ及び他システム資源保護情報管理部８ａにより、それぞれ計算機資源１１及び計算機資源７に対するアクセス処理上の資源保護情報を管理している。尚、他システム資源保護情報管理部８ａで設定される計算機資源７に対する資源保護情報は、該資源保護情報により保護すべき対象となる計算機資源７が計算機システム２内に存在しない場合であっても、計算機資源７が計算機システム２内に存在するものとして処理できるように設定されている。また、自システム資源保護情報管理部８ｂで設定される計算機資源１１に対する資源保護情報は、ジョブ１０から保護するための資源保護情報の他に、他の計算機システムのジョブから保護するための資源保護情報が設定されている。
【００３８】
そのため、本発明の複合型計算機システムは、各計算機システムのジョブが、自計算機資源へのアクセス処理、及び他の計算機システム管理下の計算機資源へのアクセス処理を同じ制御で実行できる。
また、例えば、計算機システム１管理下の計算機資源７がジョブのアクセス要求から保護が必要な場合、該計算機資源７は、自計算機システム１のジョブ６からのアクセス要求、及び他の計算機システム２のジョブ１０からのアクセス要求の違いにかかわらず、予め資源保護情報管理機構４に計算機資源７を保護するための資源保護情報を登録しておく。更に計算機資源７に対するアクセス要求が他の計算機システムからある場合は、他の計算機システム全体、及び同等のアクセス要求が可能な他の計算機システムのグループ毎、または、他の各計算機システム毎に、計算機資源７に対するアクセス処理範囲、及び権限を予め資源保護情報管理機構４、資源保護情報管理機構８に登録しておく。
【００３９】
この状態で、図１に示す複合型計算機システムの計算機システム１で動作するジョブ６が計算機資源に対するアクセス処理を実行する場合、資源アクセス機構５は、図２に示す方法により資源保護情報管理機構４に対する制御処理を実行する。以下、ジョブ６が計算機資源に対するアクセス処理を実行する場合の図２の処理を説明する。尚、ジョブ１０が計算機資源に対するアクセス処理を実行する場合も同様の処理が実行されるため、説明を省略する。
【００４０】
計算機システム１の資源アクセス機構５は、ジョブ６からの計算機資源へのアクセス処理要求を受信すると（Ｓ１）、資源保護情報管理機構４にて管理している資源保護情報を読み出し、該計算機資源へのアクセス権範囲として、例えば、リード可／ライト不可、リード／ライト可等の情報を確認する処理を実行する（Ｓ２）。
【００４１】
要求されたアクセス処理がアクセス権範囲外、例えば、リード可／ライト不可と設定されているときにライト処理のアクセス要求を受信した場合（Ｓ３、ＮＯ）、資源保護情報管理機構４は、資源アクセス機構５に対して、資源保護情報に基づいてアクセス要求エラーを通知し（Ｓ４）、資源アクセス機構５は、その旨をアクセス処理要求元のジョブ６に対して通知する（Ｓ１２）。
【００４２】
また、要求されたアクセス処理がアクセス権範囲内の場合（Ｓ３、ＹＥＳ）、資源アクセス機構５は、そのアクセス処理要求が計算機システム１管理下の計算機資源７に対する要求か、または他の計算機システム管理下の計算機資源（この場合、計算機システム２管理下の計算機資源１１を示す。）に対する要求かを確認する（Ｓ５）。
【００４３】
例えば、計算機システム１管理下の計算機資源７に対するアクセス要求の場合（Ｓ５、ＮＯ）、資源アクセス機構５は、自計算機資源アクセス部５ｂにて計算機資源７に対するアクセス処理を実行し、更にそのアクセス処理に対する結果を受信すると（Ｓ６）、その旨をアクセス処理要求元のジョブ６に対して通知する（Ｓ１２）。
【００４４】
一方、計算機システム２管理下の計算機資源１１に対するアクセス要求の場合（Ｓ５、ＹＥＳ）、資源アクセス機構５は、他計算機資源アクセス部５ａにて計算機資源１１を有する計算機システム２に対して、ジョブ６からのアクセス処理要求を通知する（Ｓ７）。このとき、ジョブ６からの計算機システム２管理下の計算機資源１１に対するアクセス要求は、計算機システム１内に仮想的に存在する計算機資源へのアクセス要求として、先に説明した計算機資源７へのアクセス要求と同様の方法で行われている。
【００４５】
計算機システム１で実行されたジョブ６からのアクセス処理要求を通知された計算機システム２では、資源アクセス機構９の他計算機資源アクセス部９ａにてアクセス処理要求を受信する。
アクセス処理要求を受信後、資源アクセス機構９は、資源保護情報管理機構８から計算機システム１に対応する資源保護情報を読み出し、該計算機資源１１へのアクセス権範囲として、例えば、リード可／ライト不可、リード／ライト可等の情報を確認する処理を実行する（Ｓ８）。
【００４６】
要求されたアクセス処理がアクセス権範囲外、例えば、リード可／ライト不可と設定されているときにライト処理のアクセス要求を受信した場合（Ｓ９、ＮＯ）、資源保護情報管理機構８は、資源アクセス機構９に対して、資源保護情報に基づいてアクセス要求エラーを通知し、更に資源アクセス機構９では、他計算機資源アクセス部９ａが、その旨をアクセス処理要求元の計算機システム１の他計算機資源アクセス部５ａに対して通知する（Ｓ１０）。アクセス要求エラーを受信した計算機システム１では、資源アクセス機構５がその旨をアクセス処理要求元のジョブ６に対して通知する（Ｓ１２）。
【００４７】
また、要求されたアクセス処理がアクセス権範囲内の場合（Ｓ９、ＹＥＳ）、資源アクセス機構９では、該アクセス処理要求に従って自計算機資源アクセス部９ｂが、計算機資源１１にアクセス処理を実行し、その結果を計算機システム１に通知する（Ｓ１１）。
計算機資源１１に対するアクセス結果を通知された計算機システム１では、資源アクセス機構５が、その旨をアクセス処理要求元のジョブ６に対して通知する（Ｓ１２）。
【００４８】
従って、本発明の複合型計算機システムは、資源アクセス機構５がアクセス方法や計算機資源数の違いを吸収することにより、計算機資源１１を使用する側である計算機システム１のジョブ６が、計算機システム１内の仮想的な計算機資源として計算機資源１１にアクセスすることが可能となる。
更に、本発明の複合型計算機システムは、資源保護情報管理機構４が計算機資源１１の資源保護情報を有することにより、計算機システム２管理下の計算機資源１１を、計算機システム１内で実行される不当なジョブから保護することが可能となる。
【００４９】
また、本発明の複合型計算機システムにおいて、計算機システム１内で実行されるジョブ６が計算機システム２管理下の計算機資源１１をアクセスする場合、自計算機システムの資源保護情報管理機構４によりアクセス可能範囲を確認後、更に計算機システム２の資源保護情報管理機構８によりアクセス可能範囲を確認するため、計算機資源１１を管理する計算機システム２により計算機資源１１を不当なジョブから保護することが可能となる。
【００５０】
また、本発明の複合型計算機システムは、計算機システム１内で実行されるジョブが計算機システム２管理下の計算機資源１１をアクセスする場合、自計算機システムの資源保護情報管理機構４により予めアクセス可能範囲を確認し、アクセス可能範囲内の場合のみ他計算機システムへのアクセス要求を通知するため、従来のリモートアクセスのようにすべてのアクセス要求を通知する必要がなく、システム間通信機構の負荷を軽減できる。
【００５１】
また、図１に示す複合型計算機システムの計算機システム１で動作するジョブ６が複数の他の計算機システム管理下の計算機資源に対するアクセス処理を実行する場合は、資源アクセス機構５は、図２の部分Ａを図３、または図４に置き換えた方法により資源保護情報管理機構４に対する制御処理を実行する。
以下、ジョブ６が複数の計算機資源に対するアクセス処理を実行する場合に、他計算機システムに対してアクセス要求を並列的に実行する処理を図２、及び図３に従って説明する。尚、ジョブ１０及び他の計算機システム内のジョブが、計算機資源に対するアクセス処理を実行する場合も同様の処理が実行されるため、説明を省略する。
【００５２】
計算機システム１の資源アクセス機構５は、ジョブ６からの計算機資源へのアクセス処理要求を受信すると（Ｓ１）、資源保護情報管理機構４にて管理している資源保護情報を読み出し、該計算機資源へのアクセス権範囲として、例えば、リード可／ライト不可、リード／ライト可等の情報を確認する処理を実行する（Ｓ２）。
【００５３】
要求されたアクセス処理がアクセス権範囲外、例えば、リード可／ライト不可と設定されているときにライト処理のアクセス要求を受信した場合（Ｓ３、ＮＯ）、資源保護情報管理機構４は、資源アクセス機構５に対して、資源保護情報に基づいてアクセス要求エラーを通知し（Ｓ４）、資源アクセス機構５は、その旨をアクセス処理要求元のジョブ６に対して通知する（Ｓ１２）。
【００５４】
また、要求されたアクセス処理がアクセス権範囲内の場合（Ｓ３、ＹＥＳ）、資源アクセス機構５は、そのアクセス処理要求が計算機システム１管理下の計算機資源７に対する要求か、または他の計算機システム管理下の計算機資源（この場合、計算機システム２管理下の計算機資源１１、及びその他複数の計算機システム管理下の計算機資源を示す。）に対する要求かを確認する（Ｓ５）。
【００５５】
例えば、計算機システム１管理下の計算機資源７に対するアクセス要求の場合（Ｓ５、ＮＯ）、資源アクセス機構５は、自計算機資源アクセス部５ｂにて計算機資源７に対するアクセス処理を実行し、更にそのアクセス処理に対する結果を受信すると（Ｓ６）、その旨をアクセス処理要求元のジョブ６に対して通知する（Ｓ１２）。
【００５６】
一方、計算機システム２管理下の計算機資源１１、及びその他複数の計算機システム管理下の計算機資源に対するアクセス要求の場合（Ｓ５、ＹＥＳ）、資源アクセス機構５は、他計算機資源アクセス部５ａにて計算機資源１１、及びその他複数の計算機資源を有する各計算機システムに対して、ジョブ６からのアクセス処理要求に対応するアクセス権を確認する処理を要求する（図３、Ｓ２１）。このとき、ジョブ６からの計算機システム２管理下の計算機資源１１、及び他の計算機システム管理下の計算機資源に対するアクセス要求は、計算機システム１内に仮想的に存在する計算機資源へのアクセス要求として、先に説明した計算機資源７へのアクセス要求と同様の方法で行われている。
【００５７】
計算機システム１からのアクセス権を確認する要求を通知された計算機システム２、及びその他の計算機システムでは、それぞれの資源アクセス機構の他の計算機資源アクセス部にてアクセス権を確認する要求を受信する。
アクセス権を確認する要求を受信後、例えば、計算機システム２の資源アクセス機構９は、資源保護情報管理機構８から計算機システム１に対応する資源保護情報を読み出し、該計算機資源１１へのアクセス権範囲として、例えば、リード可／ライト不可、リード／ライト可等の情報を確認する処理を実行する（Ｓ２２）。
【００５８】
計算機資源１１へのアクセス処理がアクセス権範囲外、例えば、リード可／ライト不可と設定されているときにライト処理のアクセス要求を受信した場合（Ｓ２３、ＮＯ）、資源保護情報管理機構８は、資源アクセス機構９に対して、資源保護情報に基づいてアクセス要求エラーを通知し（Ｓ２４）、更に資源アクセス機構９は、要求元の計算機システム１にその結果を通知する（Ｓ２５）。また、計算機資源１１へのアクセス処理がアクセス権範囲内の場合（Ｓ２３、ＹＥＳ）、資源アクセス機構９は、要求元の計算機システム１にその結果を通知する（Ｓ２５）。
【００５９】
同様に計算機１からアクセス権を確認する要求を受信した他の計算機システムもステップ２２からステップ２４の処理を実行し、その結果を要求元の計算機システム１に通知する（Ｓ２５）。
アクセス権を確認する要求を通知したすべての計算機システムからの処理結果を受信した計算機システム１は、その結果の中にアクセス不可となる計算機資源が存在するかどうかを確認する（Ｓ２６）。
【００６０】
確認の結果、アクセス不可となる計算機資源が存在し（Ｓ２６、ＹＥＳ）、更に計算機システム１内において、アクセス不可となる計算機資源の存在が確認された場合にすべてのアクセス処理を中止するように設定されている場合（Ｓ２９、ＹＥＳ）、計算機システム１は、すべての計算機システムに対するアクセス処理を継続エラーとして中止する（Ｓ３０）。
【００６１】
また、確認の結果、アクセス不可となる計算機資源が存在し（Ｓ２６、ＹＥＳ）、更に計算機システム１内において、アクセス不可となる計算機資源の存在が確認された場合にアクセス要求が許可された計算機システムに対してアクセス処理を実行するように設定されている場合（Ｓ２９、ＮＯ）、または、アクセス不可となる計算機資源が存在しなかった場合（Ｓ２６、ＮＯ）、計算機システム１の資源アクセス機構５は、他計算機資源アクセス部５ａにてアクセス要求が許可された計算機資源を有する計算機システムに対して、ジョブ６からのアクセス処理要求を通知する（Ｓ２７）。
【００６２】
例えば、計算機システム２がアクセス処理要求を受信すると、資源アクセス機構９では、該アクセス処理要求に従って自計算機資源アクセス部９ｂが、計算機資源１１にアクセス処理を実行し、その結果を計算機システム１に通知する（Ｓ２８）。同様に計算機システム１からアクセス処理要求を受信した他の計算機システムもステップ２８の処理を実行し、その結果を要求元の計算機システム１に通知する（Ｓ２８）。
【００６３】
すべての計算機資源に対するアクセス結果を通知された計算機システム１では、資源アクセス機構５が、その旨をアクセス処理要求元のジョブ６に対して通知する（Ｓ１２）。
従って、本発明の複合型計算機システムは、資源アクセス機構５がアクセス方法や計算機資源数の違いを吸収することにより、計算機システム１のジョブ６が、計算機システム１内の仮想的な計算機資源として複数の計算機資源にアクセスすることが可能となる。
【００６４】
更に、本発明の複合型計算機システムは、資源保護情報管理機構４が他計算機システムの計算機資源の資源保護情報を有することにより、複数の計算機システム管理下の計算機資源を、計算機システム１内で実行される不当なジョブから保護することが可能となる。
また、本発明の複合型計算機システムにおいて、計算機システム１内で実行されるジョブ６が他の計算機システム管理下の複数の計算機資源をアクセスする場合、自計算機システムの資源保護情報管理機構４によりアクセス可能範囲を確認後、更に他の計算機システムの資源保護情報管理機構によりアクセス可能範囲を確認するため、計算機資源を管理する計算機システムにより計算機資源を不当なジョブから保護することが可能となる。
【００６５】
また、本発明の複合型計算機システムは、計算機システム１内で実行されるジョブ６が他の計算機システム管理下の複数の計算機資源をアクセスする場合、自計算機システムの資源保護情報管理機構４により予めアクセス可能範囲を確認し、アクセス可能範囲内の場合のみ他計算機システムへのアクセス要求を通知するため、従来のリモートアクセスのようにすべての計算機システムにアクセス要求を通知する必要がなく、システム間通信機構の負荷を軽減できる。
【００６６】
次に、ジョブ６が複数の計算機資源に対するアクセス処理を実行する場合に、他計算機システムに対してアクセス要求を逐次的に実行する処理を図２、及び図４に従って説明する。尚、ジョブ１０及び他の計算機システム内のジョブが、計算機資源に対するアクセス処理を実行する場合も同様の処理が実行されるため、説明を省略する。
【００６７】
計算機システム１の資源アクセス機構５は、ジョブ６からの計算機資源へのアクセス処理要求を受信すると（Ｓ１）、資源保護情報管理機構４にて管理している資源保護情報を読み出し、該計算機資源へのアクセス権範囲として、例えば、リード可／ライト不可、リード／ライト可等の情報を確認する処理を実行する（Ｓ２）。
【００６８】
要求されたアクセス処理がアクセス権範囲外、例えば、リード可／ライト不可と設定されているときにライト処理のアクセス要求を受信した場合（Ｓ３、ＮＯ）、資源保護情報管理機構４は、資源アクセス機構５に対して、資源保護情報に基づいてアクセス要求エラーを通知し（Ｓ４）、資源アクセス機構５は、その旨をアクセス処理要求元のジョブ６に対して通知する（Ｓ１２）。
【００６９】
また、要求されたアクセス処理がアクセス権範囲内の場合（Ｓ３、ＹＥＳ）、資源アクセス機構５は、そのアクセス処理要求が計算機システム１管理下の計算機資源７に対する要求か、または他の計算機システム管理下の計算機資源（この場合、計算機システム２管理下の計算機資源１１、及びその他複数の計算機システム管理下の計算機資源を示す。）に対する要求かを確認する（Ｓ５）。
【００７０】
例えば、計算機システム１管理下の計算機資源７に対するアクセス要求の場合（Ｓ５、ＮＯ）、資源アクセス機構５は、自計算機資源アクセス部５ｂにて計算機資源７に対するアクセス処理を実行し、更にそのアクセス処理に対する結果を受信すると（Ｓ６）、その旨をアクセス処理要求元のジョブ６に対して通知する（Ｓ１２）。
【００７１】
一方、計算機システム２管理下の計算機資源１１、及びその他複数の計算機システム管理下の計算機資源に対するアクセス要求の場合（Ｓ５、ＹＥＳ）、資源アクセス機構５は、他計算機資源アクセス部５ａにて、例えば、計算機資源１１を有する計算機システム２に対して、ジョブ６からのアクセス処理要求を通知する。（図４、Ｓ４１）。このとき、ジョブ６からの計算機システム２管理下の計算機資源１１に対するアクセス要求は、計算機システム１内に仮想的に存在する計算機資源へのアクセス要求として、先に説明した計算機資源７へのアクセス要求と同様の方法で行われている。
【００７２】
計算機システム１で実行されたジョブ６からのアクセス処理要求を通知された、例えば、計算機システム２では、資源アクセス機構９の他計算機資源アクセス部９ａにてアクセス処理要求を受信する。
アクセス処理要求を受信後、例えば、計算機システム２の資源アクセス機構９は、資源保護情報管理機構８から計算機システム１に対応する資源保護情報を読み出し、該計算機資源１１へのアクセス権範囲として、例えば、リード可／ライト不可、リード／ライト可等の情報を確認する処理を実行する（Ｓ４２）。
【００７３】
計算機資源１１へのアクセス処理がアクセス権範囲内の場合（Ｓ４３、ＹＥＳ）、資源アクセス機構９では、該アクセス処理要求に従って自計算機資源アクセス部９ｂが、計算機資源１１にアクセス処理を実行し、その結果を計算機システム１に通知する（Ｓ４４）。
計算機資源１１に対するアクセス結果を通知された計算機システム１では、資源アクセス機構５が、その旨をアクセス処理要求元のジョブ６に対して通知する（Ｓ４５）。
【００７４】
ジョブ６が複数の計算機資源に対するアクセス処理を実行する場合（Ｓ４６、ＮＯ）、計算機システム１は、仮想的な計算機資源に対応する残りすべての計算機資源のアクセス処理が終了するまでステップ４１からステップ４５の処理を繰り返し、すべての計算機資源のアクセス処理が終了した段階で（Ｓ４６、ＹＥＳ）、その旨をアクセス処理要求元のジョブ６に対して通知する（Ｓ１２）。
【００７５】
一方、ステップ４３による確認の結果、計算機資源１１へのアクセス処理がアクセス権範囲外、例えば、リード可／ライト不可と設定されているときにライト処理のアクセス要求を受信した場合（Ｓ４３、ＮＯ）、資源保護情報管理機構８は、資源アクセス機構９に対して、資源保護情報に基づいてアクセス要求エラーを通知し、更に資源アクセス機構９は、要求元の計算機システム１にその結果を通知する（Ｓ４７）。
【００７６】
アクセス要求エラーを受信した計算機システム１は、例えば、予めアクセス要求エラーを受信した場合に後続するすべて計算機システムへのアクセス処理を中止するように設定されている場合（Ｓ４８、ＹＥＳ）、すべての計算機システムに対するアクセス処理を継続エラーとして中止し（Ｓ４９）、資源アクセス機構５がその旨をアクセス処理要求元のジョブ６に対して通知する（Ｓ１２）。
【００７７】
また、アクセス要求エラーを受信した計算機システム１は、例えば、予めアクセス要求エラーを受信した場合にその計算機システムへのアクセス処理を中止するように設定されている場合（Ｓ４８、ＮＯ）、その計算機システムへのアクセス処理を中止し、資源アクセス機構５が、その旨をアクセス処理要求元のジョブ６に対して通知する（Ｓ４５）。
【００７８】
ジョブ６が複数の計算機資源に対するアクセス処理を実行する場合（Ｓ４６、ＮＯ）、計算機システム１は、仮想的な計算機資源に対応する残りすべての計算機資源のアクセス処理が終了するまでステップ４１からステップ４９の処理を繰り返し、すべての計算機資源のアクセス処理が終了した段階で（Ｓ４６、ＹＥＳ）、その旨をアクセス処理要求元のジョブ６に対して通知する（Ｓ１２）。
【００７９】
従って、本発明の複合型計算機システムは、資源アクセス機構５がアクセス方法や計算機資源数の違いを吸収することにより、計算機システム１のジョブ６が、計算機システム１内の仮想的な計算機資源として複数の計算機資源にアクセスすることが可能となる。
更に、本発明の複合型計算機システムは、資源保護情報管理機構４が他計算機システムの計算機資源の資源保護情報を有することにより、複数の計算機システム管理下の計算機資源を、計算機システム１内で実行される不当なジョブから保護することが可能となる。
【００８０】
また、本発明の複合型計算機システムにおいて、計算機システム１内で実行されるジョブ６が他の計算機システム管理下の複数の計算機資源をアクセスする場合、自計算機システムの資源保護情報管理機構４によりアクセス可能範囲を確認後、更に他の計算機システムの資源保護情報管理機構によりアクセス可能範囲を確認するため、計算機資源を管理する計算機システムにより計算機資源を不当なジョブから保護することが可能となる。
【００８１】
また、本発明の複合型計算機システムは、計算機システム１内で実行されるジョブ６が他の計算機システム管理下の複数の計算機資源をアクセスする場合、自計算機システムの資源保護情報管理機構４により予めアクセス可能範囲を確認し、アクセス可能範囲内の場合のみ他計算機システムへのアクセス要求を通知するため、従来のリモートアクセスのようにすべての計算機システムにアクセス要求を通知する必要がなく、システム間通信機構の負荷を軽減できる。
【００８２】
【発明の効果】
上述の如く、本発明の複合型計算機システムによれば、計算機システムのオペレーティングシステムが異なり、計算機資源に対する保護方法が各計算機システム間で異なる場合でも、計算機システム内部にオペレーティングシステムの違いを吸収する機構を有するため、一方の計算機システムのジョブが、他方の計算機システムを意識しないで該計算機システム管理下の計算機資源へのアクセス処理を実行できる。
【００８３】
また、本発明の複合型計算機システムによれば、計算機システムの資源保護方法が異なる場合でも、各計算機システムが複合型計算機システムを構成するすべての計算機システムの資源保護情報を管理し、更に各計算機システムが同様の資源保護環境を有するため、アクセス要求元の計算機システムは、アクセス対象となる計算機システム管理下の計算機資源を意識することなく、該計算機資源へのアクセス処理を実行することができる。
【００８４】
また、本発明の複合型計算機システムによれば、複合型計算機システムの規模が大きくなった場合、即ち、計算機システムの数、及び接続経路の数が多くなった場合でも、前記アクセス処理が複雑化しないため、各計算機システムが資源保護情報に制限や細かな保護処理の指定を与えることができ、細かい単位での計算機資源の保護が可能となる。
【００８５】
また、本発明の複合型計算機システムによる計算機資源の保護方法によれば、アクセス処理に対応する計算機資源が複数存在する場合でも、該計算機資源を管理するすべての計算機システムに対してアクセス処理が可能となる。
従って、各計算機システムが直接の管理下にない計算機資源を使用して単一または複数のジョブを実行する場合に、計算機システム間のオペレーティングシステムの違いを吸収し、更に計算機資源の保護手続き、及び該手続きに必要な資源保護情報の処理を容易可することにより、不当なアクセスからの該計算機資源の保護を実現可能とする複合型計算機システム、及び計算機システム間の資源保護方法を提供することができる。
【図面の簡単な説明】
【図１】本発明の複合型計算機システムの構成図である。
【図２】計算機資源に対するアクセス要求時の資源保護方法である。
【図３】複数システムの計算機資源に対するアクセス要求時の資源保護方法である。
【図４】複数システムの計算機資源に対するアクセス要求時の資源保護方法である。
【図５】従来の複合型計算機システムである。
【符号の説明】
１      計算機システム
２      計算機システム
３      システム間通信機構
４      資源保護情報管理機構
４ａ    他システム資源保護情報管理部
４ｂ    自システム資源保護情報管理部
５      資源アクセス機構
５ａ    他計算機資源アクセス部
５ｂ    自計算機資源アクセス部
６      ジョブ
７      計算機資源
８      資源保護情報管理機構
８ａ    他システム資源保護情報管理部
８ｂ    自システム資源保護情報管理部
９      資源アクセス機構
９ａ    他計算機資源アクセス部
９ｂ    自計算機資源アクセス部
１０    ジョブ
１１    計算機資源
１０１  第一の計算機システム
１０２  第二の計算機システム
１０３  ジョブ
１０４  リモートアクセス機構
１０５  リモートアクセス機構
１０６  計算機資源
【図１】
0003657755.tif 000002
【図２】
0003657755.tif 000003
【図３】
0003657755.tif 000004
【図４】
0003657755.tif 000005
【図５】
0003657755.tif 000006